(57)【要約】【課題】電力変換装置の数が少なくて済み、コスト安の照明システムを提供する。【解決手段】電力変換装置は、フィルタリング電圧が入力されるように、第１のＥＭＩフィルタに接続され、フィルタリング電圧に基づいて、第１の整流フィルタリング電圧を生成し、第２のＥＭＩフィルタは、第１の整流フィルタリング電圧が入力されるように、前電力変換器に接続され、第１の整流フィルタリング電圧をフィルタリングして直流出力電圧を生成し、複数のライトが１つの電力変換装置により生成された直流出力電圧を利用して発光する。【選択図】図１
2019029351.tif 000002
【特許請求の範囲】
【請求項１】
少なくとも１つのライトと、電力変換装置とを備え、
前記ライトはＬＥＤユニットを備え、
前記電力変換装置は、前記少なくとも１つのライトの外に設けられ、
前記電力変換装置は、交流入力電圧を供給する交流電源に接続され、前記交流電源から前記交流入力電圧が入力され、
前記電力変換装置は、前記少なくとも１つのライトの前記ＬＥＤユニットに接続され、
前記電力変換装置は、前記交流入力電圧を、直流出力電圧に変換し、
前記電力変換装置は、前記直流出力電圧を前記少なくとも１つのライトの前記ＬＥＤユニットへ出力し、
前記電力変換装置は、第１のＥＭＩフィルタと、電力変換器と、第２のＥＩＭフィルタを備え、
前記第１のＥＭＩフィルタは、前記交流入力電圧が入力されるように、前記交流電源に接続され、前記交流入力電圧をフィルタリングしてフィルタリング電圧を生成し、
前記電力変換器は、前記フィルタリング電圧が入力されるように、前記第１のＥＭＩフィルタに接続され、前記フィルタリング電圧に基づいて、第１の整流フィルタリング電圧を生成し、
前記第２のＥＭＩフィルタは、前記第１の整流フィルタリング電圧が入力されるように、前記電力変換器に接続され、前記第１の整流フィルタリング電圧をフィルタリングして前記直流出力電圧を生成する
ことを特徴とする照明システム。
【請求項２】
前記電力変換器は、整流フィルタ回路と、電源回路と、フライバックコンバータ回路と、制御回路と、パルス幅変調制御回路とを備え、
前記整流フィルタ回路は、前記フィルタリング電圧が入力されるように、前記第１のＥＭＩフィルタに接続され、前記フィルタリング電圧を整流フィルタリングして、第２の整流フィルタリング電圧を生成し、
前記電源回路は、前記第２の整流フィルタリング電圧が入力されるように、前記整流フィルタ回路に接続され、前記第２の整流フィルタリング電圧に基づいて、電源電圧を生成し、
前記フライバックコンバータ回路は、前記第２の整流フィルタリング電圧が入力されるように、前記整流フィルタ回路に接続され、
前記フライバックコンバータ回路は、前記第２の整流フィルタリング電圧と、前記パルス幅変調制御回路から出力されるパルス幅変調制御信号に基づいて、前記第１の整流フィルタリング電圧を調整して出力し、前記第１の整流フィルタリング電圧は複数の所定の電圧値の中から選択されたいずれかの電圧に安定化され、
前記フライバックコンバータ回路は、変圧器と、スイッチユニットと、整流フィルタユニットを備え、
前記変圧器は、前記第２の整流フィルタリング電圧が入力され、
前記スイッチユニットは前記変圧器に接続され、且つ前記パルス幅変調制御信号が入力され、
前記整流フィルタユニットは、前記変圧器に接続され、且つ前記第１の整流フィルタリング電圧を出力し、
前記制御回路は、前記所定の電圧値の中から選択されたいずれかの電圧が入力され、且つ前記第１の整流フィルタリング電圧が入力されるように、前記フライバックコンバータ回路の前記整流フィルタユニットに接続され、
前記第１の整流フィルタリング電圧及び前記所定の電圧値の中から選択されたいずれかの電圧に基づいて、前記所定の電圧値の中から選ばれたいずれかの電圧と関連する制御信号を生成し、
前記パルス幅変調制御回路は、前記電源回路、前記制御回路、及び前記フライバックコンバータ回路の前記スイッチユニットに接続され、
前記パルス幅変調制御回路は、前記電源回路からの前記電源電圧と、前記制御回路からの前記制御信号がそれぞれ入力され、且つ前記制御信号に基づいて、前記パルス幅変調制御信号を生成し、前記パルス幅変調制御信号を前記スイッチユニットに出力する
ことを特徴とする請求項１に記載の照明システム。
【請求項３】
前記制御回路は、前記整流フィルタユニットに接続された第１の端子と、前記制御信号を出力する第２の端子と、第３の端子と第４の端子を備え、
前記第３の端子と第４の端子にそれぞれ入力される電圧の電位差は、前記所定の電圧値の中から選択されたいずれかの電圧であり、
前記制御回路は、レギュレータチップ、第１の抵抗、第２の抵抗、第３の抵抗、第４の抵抗、第１の可変抵抗、第２の可変抵抗、第１のコンデンサ、第２のコンデンサ、及び第３のコンデンサを備え、
前記第１の抵抗は前記制御回路の第１の端子に接続された第１の端子と、第２の端子を備え、
前記第２の抵抗は前記第１の抵抗の前記第２の端子に接続された第１の端子と、第２の端子を備え、
前記第１の可変抵抗は、前記第２の抵抗の第２の端子に接続された第１の端子及び制御端子と、前記制御回路の第３の端子に接続された第２の端子を備え、
前記第２の可変抵抗は、前記第１の可変抵抗の前記第２の端子に接続された第１の端子及び制御端子と、前記制御回路の前記第４の端子に接続された第２の端子を備え、
前記第３の抵抗は、前記第２の可変抵抗の前記第１の端子と第２の端子の間に接続され、
前記第１のコンデンサは、前記第２の抵抗の前記第１の端子及び前記第２の可変抵抗の前記第１の端子に接続された第１の端子と、前記制御回路の前記第４の端子に接続された第２の端子を備え、
前記第２のコンデンサは、前記第２の抵抗の前記第１の端子と前記制御回路の前記第２の端子の間に接続され、
前記レギュレータチップは、前記制御回路の前記第２の端子に接続された出力端子と、前記制御回路の前記第４の端子に接続された接地端子と、前記第２の抵抗の前記第１の端子に接続された入力端子とを備え、
前記第３のコンデンサと前記第４の抵抗は、前記第２の抵抗の前記第１の端子と前記レギュレータチップの前記出力端子の間に直列に接続され、
前記第４の抵抗は、第１の端子が前記第２の抵抗の第１の端子に接続され、前記第３のコンデンサは前記レギュレータチップの前記出力端子に接続される
ことを特徴とする請求項２に記載の照明システム。
【請求項４】
前記パルス幅調整制御回路は、制御チップ、第４のコンデンサ、第５の抵抗、及び第５のコンデンサを備え、
前記制御チップは、第１の端子と、第２の端子と、第３の端子と、第４の端子と、第５の端子と、第６の端子と、第７の端子と、第８の端子を備え、
前記制御チップの前記第１の端子は、前記電源電圧が入力されるように前記電源回路に接続され、前記第２の端子は、前記パルス幅変調信号を出力し、前記第５の端子は、前記制御信号が入力され、前記第６の端子と前記第７の端子は接地され、
前記第４のコンデンサは、前記制御チップの前記第４の端子とグランドの間に接続され、
前記第５の抵抗は、前記制御チップの前記第４の端子に接続された第１の端子と、前記制御チップの前記第８の端子に接続された第２の端子を備え、
前記第５のコンデンサは、前記第５の抵抗の前記第２の端子とグランドの間に接続され、
前記制御チップは電流モードのパルス幅調整制御チップである
ことを特徴とする請求項２に記載の照明システム。
【発明の詳細な説明】
【技術分野】
【０００１】
本発明は照明システムに関し、特に、電源変換回路の数が少なくて済み、コスト安の照明システムに関する。
【背景技術】
【０００２】
従来の照明システムは、交流電源に接続された複数のライトを備える。各ライトは、発光ダイオード（Light Emitting Diode、ＬＥＤ）ユニットと、ＬＥＤユニットに接続された電力変換装置とを含む。
【０００３】
ここで、電力変換装置は、ＬＥＤユニットに電力を供給するために、交流電源によって供給される交流入力電圧が入力され、そして、この交流入力電圧を直流出力電圧に変換し、対応するＬＥＤに直流出力電圧を出力するものである。
【先行技術文献】
【特許文献】
【０００４】
【特許文献１】台湾特許第Ｉ５６１１２０号明細書
【発明の概要】
【発明が解決しようとする課題】
【０００５】
しかし、従来の構成では、ライト毎に電力変換装置が必要なので、照明システムのライトの数が増加するとそれに伴って電力変換装置の台数も増加する傾向にあり、より高い製造コストが必要となる。
【０００６】
さらに、各電力変換装置は、動作中に発熱し、対応するライトの内部温度を上昇させてしまい、ＬＥＤユニットの寿命を低下させることがある。
【０００７】
このような問題に鑑みて、本発明は、ライトの温度上昇を抑制でき、コスト安の照明システムを提供することを目的とする。
【課題を解決するための手段】
【０００８】
本発明はこのような問題に鑑みて、以下の構成を備える。
【０００９】
少なくとも１つのライトと、電力変換装置とを備え、前記ライトはＬＥＤユニットを備え、前記電力変換装置は、前記少なくとも１つのライトの外に設けられ、前記電力変換装置は、交流入力電圧を供給する交流電源に接続され、前記交流電源からの前記交流入力電圧が入力され、前記電力変換装置は、前記少なくとも１つのライトの前記ＬＥＤユニットに接続され、前記電源装置は、前記交流入力電圧を、直流出力電圧に変換し、前記電源装置は、前記直流出力電圧を前記少なくとも１つのライトのＬＥＤユニットへ出力し、前記電力変換装置は、第１のＥＭＩフィルタと、電力変換器と、第２のＥＩＭフィルタを備え、前記第１のＥＭＩフィルタは、前記交流入力電圧が入力されるように、前記交流電源に接続され、前記交流入力電圧をフィルタリングしてフィルタリング電圧を生成し、前記電力変換器は、前記フィルタリング電圧が入力されるように、前記第１のＥＭＩフィルタに接続され、前記フィルタリング電圧に基づいて、第１の整流フィルタリング電圧を生成し、前記第２のＥＭＩフィルタは、前記第１の整流フィルタリング電圧が入力されるように、前記電力変換器に接続され、前記第１の整流フィルタリング電圧をフィルタリングして前記直流出力電圧を生成する。
【発明の効果】
【００１０】
電力変換装置は、ライトの外に設けられるので、ライトの内部の温度が上昇しにくい。また、複数のライトに対して共通の電力変換装置を使用するので、コストがかかりにくい。
【図面の簡単な説明】
【００１１】
【図１】本発明の照明システムのブロック図である。
【図２】本発明の照明システム電気回路であり、本実施形態の電力変換装置を説明するための図である。
【発明を実施するための形態】
【００１２】
図１、図２を参照して本発明の実施形態を説明する。図１は本発明の照明システムのブロック図であり、図２は本発明の照明システム電気回路でああり、本実施形態の電力変換装置を説明するための図である。
【００１３】
本発明の照明システムは２個のライト１０と１つの電力変換装置２０を備える。なお、ライト１０の数は適宜増減しても良い。ライト１０は、発光ダイオード（Light Emitting Diode、以下ＬＥＤ）ユニット１０１を備える。
【００１４】
電力変換装置２０は、ライト１０の外部に設けられ、交流電源２００に接続され、この交流電源２００から交流入力電圧Ｖｉｎが入力される。また、電力変換装置２０は、この入力された交流入力電圧Ｖｉｎを直流出力電圧Ｖｏｕｔに変換して、ＬＥＤユニット１０１に出力し、ＬＥＤユニット１０１を発光させる。
【００１５】
また、電力変換装置２０は、第１のＥＭＩ（Electro-Magnetic Interference）フィルタ１と、電力変換器２と、第２のＥＭＩフィルタ３を備える。
【００１６】
図１に示す様に、第１のＥＭＩフィルタ１は交流電源２００に接続され、交流入力電圧Ｖｉｎが入力される。また、第１のＥＭＩフィルタ１は、交流入力電圧Ｖｉｎをフィルタリングして、交流のフィルタリング電圧Ｖｆを生成する。本実施形態では第１のＥＭＩフィルタ１の詳細は図２に示すが、この第１のＥＭＩフィルタ１の回路構成は一般的なＥＭＩフィルタと同様なので説明を省略する。
【００１７】
電力変換器２は、図１に示すように、第１のＥＭＩフィルタ１と接続され、交流のフィルタリング電圧Ｖｆが入力され、この交流のフィルタリング電圧Ｖｆに基いて、第１の整流フィルタリング電圧Ｖｒｆ１を第２のＥＭＩフィルタ３に出力する。
【００１８】
この実施形態では、電力変換装置２は、図１に示すように、整流フィルタ回路４と、電源回路５と、フライバックコンバータ回路６と、制御回路７と、パルス幅変調制御回路８とを備える。整流フィルタ回路４、電源回路５、フライバックコンバータ回路６、制御回路７及びパルス幅変調制御回路８は、図２に示すように構成されるが、詳細は後述する。
【００１９】
整流フィルタリング回路４は、第１のＥＭＩフィルタ１に接続され、交流のフィルタリング電圧Ｖｆが入力され、整流フィルタリングして第２の整流フィルタリング電圧Ｖｒｆ２を生成して出力する。また、図２に示すように、２つのコンデンサと、４つのダイオードを組み合わせた所謂平滑コンデンサ付全波整流回路で構成される。すなわち、４つのデイオードで全波整流を生成し、２つのコンデンサで全波整流のピークをホールドする。これら２つのコンデンサから出力される電圧は時間の経過と共に徐々に減少するが、直流に近い波形となる。
【００２０】
電源回路５は、整流フィルタリング回路４に接続され、第２の整流フィルタリング電圧Ｖｒｆ２が入力され、第２の整流フィルタリング電圧Ｖｒｆ２に応じた電源電圧Ｖｓを生成する。
【００２１】
フライバックコンバータ回路６は、整流フィルタリング回路４に接続され、第２の整流フィルタリング電圧Ｖｒｆ２が入力される。また、フライバックコンバータ回路６は、第２の整流フィルタリング電圧Ｖｒｆ２と、後述するパルス幅変調信号Ｖｐｗｍが入力され、このパルス幅変調信号Ｖｐｗｍに基づいて、第２の整流フィルタリング電圧Ｖｒｆ２を調整して、第１の整流フィルタリング電圧Ｖｒｆ１として出力する。第１の整流フィルタリング電圧Ｖｒｆ１は、選択された複数の所定の電圧の電圧値（例えば、８７Ｖ、８８Ｖ、８９Ｖ、９０Ｖ、・・・、１２０Ｖ）のうちのいずれかの電圧で安定する。
【００２２】
また、この実施形態では、フライバックコンバータ回路６は、第２の整流フィルタリング電圧Ｖｒｆ２が入力される変圧器６１と、この変圧器６１に接続され、且つパルス幅変調信号Ｖｐｗｍが入力されるスイッチユニット６２と、変圧器６１から出力された電圧が入力される整流フィルタユニット６３を備える。
【００２３】
また、整流フィルタユニット６３は、変圧器６１から入力された電圧を整流フィルタリングして第１の整流フィルタリング電圧Ｖｒｆ１を出力する。なお、変圧器６１、スイッチユニット６２、及び整流フィルタユニット６３は、図２に示すように構成されるが、詳細は後述する。
【００２４】
制御回路７は、所定の電圧値の中から選択された所定の電圧Ｖｄ（以下、「所定の電圧値Ｖｄ」ともいう）が入力され、フライバックコンバータ回路６の整流フィルタユニット６３にも接続される。
【００２５】
このため、制御回路７には、第１の整流フィルタリング電圧Ｖｒｆ１が入力される。また、制御回路７は、第１の整流フィルタリング電圧Ｖｒｆ１と所定の電圧値から選択された所定の電圧Ｖｄに基づいて、当該所定の電圧値と関連する制御信号Ｃ１を生成する。
【００２６】
この実施形態では、図２に示すように、所定の電圧Ｖｄの電圧値は、外部の可変抵抗回路ＣＮ４の可変抵抗を調整することにより、所定の電圧Ｖｄの電圧値を調整することができる。ここで、所定の電圧Ｖｄの電圧値は例えば２．５Ｖである。
【００２７】
また、所定の電圧Ｖｄの電圧値の大きさに基づいて、制御回路７から出力される制御信号Ｃ１は変化し、この制御信号Ｃ１はパルス幅変調制御回路８に入力される。また、制御信号Ｃ１が変化することにより、第１の整流フィルタリング電圧Ｖｒｆ１と、第２のＥＭＩフィルタ３を介して出力される直流出力電圧Ｖｏｕｔを変化させることができる。
【００２８】
制御信号Ｃ１と、第１の整流フィルタリング電圧Ｖｒｆ１と、所定の電圧Ｖｄの電圧値値のうちの選択されたものとの関係は、第１の整流フィルタリング電圧Ｖｒｆ１が上昇すると、所定の電圧Ｖｄの電圧値は上述した２．５Ｖより大きくなり、そして、制御回路７は制御信号Ｃ１を出力する。制御信号Ｃ１が出力されると、第１の整流フィルタリング電圧Ｖｒｆ１が低下するが、第１の整流フィルタリング電圧Ｖｒｆ１が低下しても、所定の電圧Ｖｄの電圧値は上述した２．５Ｖのままである。
【００２９】
制御回路７は、図２に示すように、整流フィルタユニット６３に接続された第１の端子Ｑ１（図２において制御回路７の右上側）と、制御信号Ｃ１を出力する第２の端子Ｑ２（図２において制御回路７の左下側）と、第３の端子Ｑ３と、第４の端子Ｑ４とを有する。また、第３の端子Ｑ３と、第４の端子Ｑ４は可変抵抗回路ＣＮ４に接続される。第３の端子Ｑ３、及び第４の端子Ｑ４にかかる電圧は、電圧Ｖｄである。
【００３０】
また、制御回路７は、レギュレータチップ７０と、第１の抵抗７１〜第４抵抗７４と、第１の可変抵抗７５と、第２可変抵抗７６と、第１のコンデンサ７７〜第３のコンデンサ７９を備えている。
【００３１】
この実施形態では、レギュレータチップ７０は、型番ＴＬ４３１の調整器チップであり、電圧を一定に調整する機能を有する。
【００３２】
レギュレータチップ７０の仕様及び素子の接続方法は、型番ＴＬ４３１のデーターシート、説明書の類を見れば足りるので本願では必要最低限の説明しか行わない。
【００３３】
第１の抵抗７１は、一端（第１の端子）が制御回路７の第１の端子Ｑ１に接続され、他端（第２の端子）は第２の抵抗７２の一端に接続されている。第２の抵抗７２は一端が第１の抵抗７１の他端に接続され、他端が第１の可変抵抗７５の一端（第１の端子）及び制御端子に接続されている。第３の抵抗７３は一端が第１の可変抵抗７５の他端に接続され、他端が制御回路７の第４の端子Ｑ４に接続されている。
【００３４】
第４の抵抗７４は一端が第２の抵抗７２の一端に接続され、他端が第３のコンデンサ７９の一端に接続されている。第１の可変抵抗７５は、第1の端子と制御端子が第２の抵抗７２の他端に接続され、他端は第２の可変抵抗７６の一端に接続されている。
【００３５】
第２の可変抵抗７６は、第１の端子と制御端子が第１の可変抵抗７５の他端に接続され、他端が制御回路７の第４の端子Ｑ４に接続されている。また、第１のコンデンサ７７の一端は第１の可変抵抗７５の他端と制御回路７の第３の端子Ｑ３に接続され、他端は制御回路７の第４の端子Ｑ４に接続されている。
【００３６】
また、第２のコンデンサ７８は、第２の抵抗７２の第１の端子と、制御回路７の第２の端子Ｑ２の間に接続される。
【００３７】
第３のコンデンサ７９と第４の抵抗７４は、第２の抵抗７２の１の端子とレギュレータチップ７０の出力端子の間に直列に接続される。
【００３８】
レギュレータチップ７０は、第１の端子である出力端子（図２の上側の端子）が第３のコンデンサ７９の他端に接続され、第２の端子である接地端子（図２の下側の端子）が制御回路７の第４の端子Ｑ４に接続され、第３の端子である入力端子（図３の右側の端子）が第１のコンデンサ７７の一端および第２の抵抗７２の一端に接続される。
【００３９】
パルス幅変調制御回路８は、電源回路５、制御回路７、及びフライバックコンバータ回路６のスイッチングユニット６２に接続される。また、電源回路５から電源電圧Ｖｓが入力され、制御回路７から制御信号Ｃ１が入力される。
【００４０】
パルス幅変調制御回路８は、制御信号Ｃ１に基づいてパルス幅変調信号Ｖｐｗｍを生成して、スイッチユニット６２に出力する。
【００４１】
スイッチユニット６２は、図２に示すようにスイッチ６２１とスイッチ６２２を備える。ここで、図１に示すように、整流フィルタユニット６３から出力された第１のフィルタリング電圧Ｖｒｆ１は、制御回路７にフィードバックされているので、制御回路７は、第１のフィルタリング電圧Ｖｒｆ１と所定の電圧Ｖｄに基づいて制御信号Ｃ１を生成する。
【００４２】
また、制御回路７は、パルス幅変調制御回路８に対して制御信号Ｃ１を出力することにより、パルス幅変調制御回路８にパルス幅変調信号Ｖｐｗｍをスイッチユニット６２へ出力させ、スイッチユニット６２のスイッチ６２１、スイッチ６２２を、導通状態と非導通状態との間で切り替えるよう制御する。ここで、図２のスイッチ６２１、スイッチ６２２は、下述する制御チップ８１の第２の端子Ｐ２がハイレベルのときにオンとなり、ロウレベルのときにオフとなる。
【００４３】
図２を参照して説明すると、制御チップ８１の第２の端子Ｐ２がハイレベルのときは、ダイオードと並列に接続された抵抗を介して、制御チップ８１の第２の端子Ｐ２から出力された電流がＦＥＴのゲート端子に流れ、スイッチ６２１、６２２がオンとなる。
【００４４】
ここで、第２の整流フィルタリング電圧Ｖｒｆ２は、変圧器６１の１次側及び並列に接続された図２の３個の抵抗及び２つのコンデンサにかかっているが、スイッチユニット６２がオンのとき、ＦＥＴのドレイン−ソース間に電流が流れ、図２の右下に並列に接続されている４つの抵抗を介して、アースに電流が流れる。
【００４５】
なお、第２の整流フィルタリング電圧Ｖｒｆ２は、電源回路５に設けられた抵抗を介して温度スイッチＣＮ３に接続されており、バイアス電圧Ｖｃｃとともに温度スイッチＣＮ３のオンとオフの切り替えに利用され、温度スイッチＣＮ３がオフのときは、電源電圧ＶＳは制御チップ８１のＰ１に出力されない。
【００４６】
また、整流フィルタユニット６３から出力された第１のフィルタリング電圧Ｖｒｆ１は、第２のＥＭＩフィルタ３によって、電磁ノイズが除去されて、直流出力電圧Ｖｏｕｔとして出力されるが、上述したスイッチユニット６２のスイッチ６２１及びスイッチ６２２のオン状態とオフ状態の切り替えにより、第１のフィルタリング電圧Ｖｒｆ１の大きさが変わるので、このとき直流出力電圧Ｖｏｕｔの値も変化する。
【００４７】
なお、この実施形態では、パルス幅変調制御回路８は、制御チップ８１と、第４のコンデンサ８２と、第５の抵抗８３と、第５のコンデンサ８４とを備える。
【００４８】
制御チップ８１の第１の端子Ｐ１は、電源回路５に接続され、電源電圧Ｖｓが入力される。制御チップ８１の第２の端子Ｐ２は、スイッチユニット６２と接続され、図１、図２に示すようにパルス幅変調信号Ｖｐｗｍを出力する。
【００４９】
ここで、制御信号Ｃ１とパルス幅変調信号Ｖｐｗｍの関係は次のとおりである。すなわち、制御信号Ｃ１がハイレベルのとき、パルス幅変調制御回路８から、パルス幅変調信号Ｖｐｗｍが出力され、制御信号Ｃ１がロウレベルのときはパルス幅変調信号Ｖｐｗｍは出力されない。
【００５０】
また、整流フィルタユニット６３から出力された第１の整流フィルタリング電圧Ｖｒｆ１は、制御回路７を介してパルス幅変調制御回路８にフィードバックがかかっているので、パルス幅変調信号Ｖｐｗｍのデューティ比は、第１の整流フィルタリング電圧Ｖｒｆ１を一定の値に保つように自動的に調整される。
【００５１】
制御チップ８１の第３の端子Ｐ３は、図２のように抵抗を介して接地されている。制御チップ８１の第４の端子Ｐ４は、第４のコンデンサ８２を介して接地されている。
【００５２】
図２に示すように、制御チップ８１の第５の端子Ｐ５には制御信号Ｃ１が入力される。すなわち、制御回路７の第２の端子Ｑ２から出力された制御信号Ｃ１は、図２に示すようにフォトカプラに接続されているので、アノードからカソードへ電流が流れることにより、フォトダイオードが発光し、トランジスタのコレクタ−エミッタ間に電流が流れることにより、制御チップ８１の第５の端子Ｐ５には制御信号Ｃ１が入力される。
【００５３】
また、このように、フォトカプラを設けて制御信号Ｃ１をパルス幅変調制御回路８へ送るので、パルス幅変調制御回路８と制御回路７との間は電気的には絶縁されており、制御回路７側のノイズはパルス幅変調制御回路８に影響しない。
【００５４】
制御チップ８１の第６の端子Ｐ６、Ｐ７は図２に示すように接地されている。制御チップ８１の第８の端子Ｐ８は、図２に示すように、第５のコンデンサ８４の一端と、第２のフォトカプラのトランジスタのコレクタ端子に接続されている。
【００５５】
この実施形態で制御チップ８１は型番ＵＣ３８４５の電流モードＰＷＭコントローラであるが、このような制御チップ８１の仕様と利用方法はＵＣ３８４５のデータシートと説明書に記載されたとおりなので、本願では説明しない。
【００５６】
第５の抵抗８３は、一端が制御チップ８１の第４の端部Ｐ４に接続され、他端は制御チップ８１の第８の端子Ｐ８に接続されている。
【００５７】
第４のコンデンサ８２は、一端が制御チップ８１の第４の端子Ｐ４に接続され、他端は接地されている。
【００５８】
第５のコンデンサ８４は、一端が第５の抵抗８３の他端に接続され、他端が接地されている。
【００５９】
第２のＥＭＩフィルタ３は整流フィルタユニット６３に接続され、第１の整流フィルタリング電圧Ｖｒｆ１が入力される。また、第２のＥＭＩフィルタ３は、第１の整流フィルタリング電圧Ｖｒｆ１をフィルタリングして直流出力電圧Ｖｏｕｔを出力する。
【００６０】
直流出力電圧Ｖｏｕｔはライト１０のＬＥＤユニット１０１に出力される。ここで、直流出力電圧Ｖｏｕｔの電圧の大きさは、第１の整流フィルタリング電圧Ｖｒｆ１の電圧の大きさに基づく。この実施形態では、第２のＥＭＩフィルタ３は、図２に示すように回路によって構成される。すなわち、コモンモードチョークコイルにコンデンサを接続して実現される。
【００６１】
なお、第１のＥＭＩフィルタ１、第２のＥＭＩフィルタ３、整流フィルタ回路４、電源回路５、フライバックコンバータ回路６を実現するための構成は、本実施形態で説明したものに限られない。
【００６２】
また、図２の冷却ファンＣＮ１は電力変換装置２０を冷却するためのものであるが、本願発明に直接関係しないので説明を省略する。また、発光ダイオードＣＮ２は電力変換装置２０に電源が入っているときに点灯するが、本願発明に直接関係しないので説明を省略する。さらに、図２の下側の変圧器についても、本発明に直接関係しない冷却ファンＣＮ１と発光ダイオードユニットＣＮ２を動作させるためのもので、本願発明に直接関係しないので説明を省略する。なお、複数のライト１０に対して、共通の電力変換装置２０を利用することにより、冷却ファンＣＮ１等を作動させる電力を一つにできるので、従来のようにライト１０毎に電力変換装置２０を設けるよりも消費電力を抑制できる。
【００６３】
以上のように、本実施形態の照明システムは、１つの電力変換装置２０のみで直流出力電圧Ｖｏｕｔを生成し、２以上のＬＥＤユニット１０１に供給することができる。
【００６４】
また、ライト１０毎に電力変換装置２０を必要としないので、製造コスト及び消費エネルギーが少なくてすむ。
【００６５】
また、各ライト１０の外部に電力変換装置２０を設けるので、各ライト１０が電力変換装置２０の温度上昇によってさらに発熱しにくく、ＬＥＤユニット１０１が長持ちし易い。
【００６６】
更に、制御信号Ｃ１は、所定の電圧Ｖｄの電圧値を可変抵抗回路ＣＮ４の抵抗値を調整することにより、パルス幅変調制御回路８から出力するパルス幅変調信号Ｖｐｗｍを調整できる。また、パルス幅変調信号Ｖｐｗｍを調整することによって、第１の整流フィルタリング電圧Ｖｒｆ１及び直流電圧Ｖｏｕｔの電圧値を変更でき、ＬＥＤユニット１０の明るさを調整できる。
【００６７】
以上の説明は、本発明の実施例に過ぎず、これを以って特許請求の範囲を限定するものではない。また、本発明の特許請求の範囲及び明細書の内容に簡単な付加や変化を加えたに過ぎないものについても、特許請求の範囲に記載された発明の技術的範囲に属するものとする。
【符号の説明】
【００６８】
１０      ライト
１０１    発光ダイオード（ＬＥＤ）ユニット
２０      電力変換装置
２００    交流電源
１        第１のＥＭＩフィルタ
２        電力変換器
３        第２のＥＭＩフィルタ
４        整流フィルタ回路
５        電源回路
６        フライバックコンバータ回路
６１      変圧器
６２      スイッチユニット
６２１    スイッチ
６２２    スイッチ
６３      整流フィルタユニット
７        制御回路
７０      レギュレータチップ
７１      第１の抵抗
７２      第２の抵抗
７３      第３の抵抗
７４      第４の抵抗
７５      第１の可変抵抗
７６      第２の可変抵抗
７７      第１のコンデンサ
７８      第２のコンデンサ
７９      第３のコンデンサ
８        パルス幅変調制御回路
８１      制御チップ
８２      第４のコンデンサ
８３      第５の抵抗
８４      第５のコンデンサ
Ｃ１      制御信号
Ｐ１      制御チップの第１の端子
Ｐ２〜Ｐ８  制御チップの第２の端子〜第８の端子
Ｑ１      制御回路の第１の端子
Ｑ２〜Ｑ４  制御回路の第２の端子〜第４の端子
Ｖｉｎ    交流入力電圧
Ｖｏｕｔ  交流出力電圧
Ｖｆ      フィルタリング電圧
Ｖｒｆ１  第１の整流フィルタリング電圧
Ｖｒｆ２  第２の整流フィルタリング電圧
Ｖｓ      電源電圧
Ｖｐｗｍ  パルス幅変調信号
Ｖｄ      所定の電圧
Ｖｃｃ    バイアス電圧
ＣＮ１    冷却ファン
ＣＮ２    発光ダイオードユニット
ＣＮ３    温度スイッチ
ＣＮ４    可変抵抗回路
【図１】
2019029351.tif 000003
【図２】
2019029351.tif 000004